(57)【要約】【課題】２頁大の書類を見開状態で収納することができることは勿論、１頁大の書類も基端が捲れることなく収納できるファイリング用シートを提供する。【解決手段】四角形状のシート本体１の両面に、綴じ代１１側に第１透明ポケットシート部２を小口１２側に第２透明ポケットシート部３とを該第１透明ポケットシート部２の開口２１と第２透明ポケットシート部３の開口３１が向き合うように設けるとともにそれぞれの上端に上部開口２２、３２を設けたことを特徴とするファイリング用シート。【選択図】 図１
2011116048.tif 000002
【特許請求の範囲】
【請求項１】
四角形状のシート本体の両面に、綴じ代部側に第１透明ポケットシート部を小口側に第２透明ポケットシート部とを該第１透明ポケットシート部の横向開口と第２透明ポケットシート部の横向開口が向き合うように設けるとともにそれぞれの上端に上部開口を設けたことを特徴とするファイリング用シート。
【請求項２】
前記第１透明ポケットシート部と第２透明ポケットシート部とに向き合うように設けた横向開口縁同士を点状に接合させた請求項１に記載のファイリング用シート。
【請求項３】
前記四角形状のシート本体を、上縁を開口させた上開き透明袋状シート材により形成した請求項１又は２に記載のファイリング用シート。
【請求項４】
前記四角形状のシート本体を、１枚のシート材により形成した請求項１又は２に記載のファイリング用シート。
【請求項５】
前記四角形状のシート本体を、２枚のシート材よりなるものとして小口側のみを接合した請求項１又は２に記載のファイリング用シート。
【請求項６】
前記四角形状のシート本体の綴じ代部に綴り込み用孔を設けた請求項１から５の何れかに記載のファイリング用シート。
【請求項７】
四角形状のシート本体を、左右方向の中央折り目により２枚折りした透明シート材よりなるものとして、該四角形状のシート本体の外面となる両面に、綴じ代側に第１透明ポケットシート部を小口側に第２透明ポケットシート部とを該第１透明ポケットシート部の横向開口と第２透明ポケットシート部の横向開口が向き合うに設けるとともにそれぞれの上端に上部開口を設け、さらに前記シート本体の両面にある第２透明ポケットシート部同士の小口側を連通する構造としたことを特徴とするファイリング用シート。
【請求項８】
前記第１透明ポケットシート部と第２透明ポケットシート部とに向き合うように設けた横向開口縁同士を点状に接合させた請求項７に記載のファイリング用シート。
【発明の詳細な説明】
【技術分野】
【０００１】
本発明は、複数枚を綴じて使用した場合に１頁大の書類を収納することができるうえに２頁大の書類も見開状態で収納することができるファイリング用シートに関するものである。
【背景技術】
【０００２】
従来の複数枚を綴じて使用して１頁大の書類と２頁大の書類も見開状態で収納することができるファイリング用シートとしては特開２０００−１５９７５号公報（特許文献１）のものが知られている。
【０００３】
前記特許文献１に記載のものは、図１２に示すように見開いた左右のシート１０１、１０２にポケット部１０１ａ、１０２ａをその開口１０１ｂ、１０２ｂを対向させて設け、見開き大の書類の両辺側を前記ポケット部１０１ａ、１０２ａに挿し込んで保持するものであった。
【０００４】
ところが、前記のような左右のシート１０１、１０２は、それぞれ１頁大の書類を保持する場合には、綴じ代部側となる書類の辺側がポケット部１０１ａ、１０１ｂから剥き出ているためシートを開き閉じする際に捲れたり、折れたりして傷む問題がある。また、見開き大の書類にあってもの両辺側の一方を一方のポケット部１０１ａに挿し込んだ後に書類の中央を前方に膨らむように湾曲させて他方の辺側を他方のポケット部１０２ａに挿し込んで書類を伸ばして収納するものであり、書類の出し入れが面倒なものであった
【先行技術文献】
【特許文献】
【０００５】
【特許文献１】特開２０００−１５９７５号公報
【発明の概要】
【発明が解決しようとする課題】
【０００６】
本発明は前記したような問題を解決して、２頁大の書類を見開状態で収納することができることは勿論、１頁大の書類も損傷させることなく収納できるファイリング用シートを提供するものである。
【課題を解決するための手段】
【０００７】
前記した課題を解決した本発明のファイリング用シートは、四角形状のシート本体の両面に、綴じ代部側に第１透明ポケットシート部を小口側に第２透明ポケットシート部とを該第１透明ポケットシート部の横向開口と第２透明ポケットシート部の横向開口が向き合うように設けるとともにそれぞれの上端に上部開口を設けたことを特徴とするものを請求項１に記載の発明とする。
【０００８】
そして、前記請求項１に記載の発明において、前記第１透明ポケットシート部と第２透明ポケットシート部とに向き合うように設けた横向開口縁同士を点状に接合させたファイリング用シートを請求項２に記載の発明とする。
【０００９】
また、前記請求項１又は２に記載の発明において、前記四角形状のシート本体を、上縁を開口させた上開き透明袋状シート材により形成したファイリング用シートを請求項３に記載の発明とする。
【００１０】
また、前記請求項１又は２に記載の発明において、前記四角形状のシート本体を、１枚のシート材により形成したファイリング用シートを請求項４に記載の発明とする。
【００１１】
また、前記請求項１又は２に記載の発明において、前記四角形状のシート本体を、２枚のシート材よりなるものとして小口側のみを接合したファイリング用シートを請求項５に記載の発明とする。
【００１２】
また、前記請求項１から５の何れかに記載の発明において、前記四角形状のシート本体の綴じ代部に綴り込み用孔を設けたファイリング用シートを請求項６に記載の発明とする。
【００１３】
また、四角形状のシート本体を、左右方向の中央折り目により２枚折りした透明シート材よりなるものとして、該四角形状のシート本体の外面となる両面に、綴じ代側に第１透明ポケットシート部を小口側に第２透明ポケットシート部とを該第１透明ポケットシート部の横向開口と第２透明ポケットシート部の横向開口が向き合うに設けるとともにそれぞれの上端に上部開口を設け、さらに前記シート本体の両面にある第２透明ポケットシート部同士の小口側を連通する構造としたことを特徴とするファイリング用シートを請求項９に記載の発明とする。
【００１４】
また、前記請求項７に記載の発明において、前記第１透明ポケットシート部と第２透明ポケットシート部とに向き合うように設けた横向開口縁同士を点状に接合させたうえ上端縁に上部開口を設けたファイリング用シートを請求項１２に記載の発明とする。
【発明の効果】
【００１５】
前記のような請求項１に記載のファイリング用シートの複数枚を綴じ代側において綴じる。そうすれば、綴じ代部を中心に見開いた左右の２頁に現れる小口側の第２透明ポケットシート部同士は横向開口を向かい合う状態で位置することとなるので、見開いた２頁大の書類をその中央を第１透明ポケットシート部の表面に沿わせて該書類の左右両辺側を見開きの左右の第２透明ポケットシート部に挿し込んで保持すれば、見開き状態において的確に保持されて、見開いた２頁を閉じれば２頁大の書類も中央から折り畳んだ状態でそのまま保持されるものである。
【００１６】
そして、四角形状のシート本体の両面に、綴じ代側に第１透明ポケットシート部を小口側に第２透明ポケットシート部とを該第１透明ポケットシート部の横向開口と第２透明ポケットシート部の横向開口が向き合うように設けたものであるので、該シート本体の片面と同大の１頁の大きさの書類は、その左右を第１透明ポケットシート部と第２透明ポケットシート部に挿し込んで保持させることができ、該１頁の大きさの書類は左右両側を前記したとおり第１透明ポケットシート部と第２透明ポケットシート部に保持されているので、書類が捲れたり、折れたして損傷する虞の無いものである。
【００１７】
また、前記第１透明ポケットシート部と第２透明ポケットシート部との上端縁に上部開口を設けた構造としているので、該上部開口より書類を広げたままで収納できるものであり、さらには、第１透明ポケットシート部と第２透明ポケットシート部は角部から捲ることができるので書類の出し入れはより容易なものである。
【００１８】
また、前記第１透明ポケットシート部と第２透明ポケットシート部とに向き合うように設けた開口縁同士を点状に接合させたものとすると、シート本体の片面と同大の１頁の大きさの書類は上部開口より出し入れができる。そして、見開いた２頁大の書類を収納する場合には前記開口縁同士の点状による接合を解けば、左右の２頁に現れる小口側の第２透明ポケットシート部同士は横向開口を向かい合う状態で位置することとなるので、見開いた２頁大の書類をその中央を第１透明ポケットシート部の表面に沿わせて該書類の左右両側を見開きの左右の第２透明ポケットシート部に挿し込んで保持することができる。また、前記第１透明ポケットシート部と第２透明ポケットシート部との横向開口縁同士の点状による接合を解除した後に１頁の大きさの書類を収納するには、その左右を第１透明ポケットシート部と第２透明ポケットシート部に挿し込んで保持させればよいものである。
【００１９】
また、前記四角形状のシート本体を、上縁を開口させた上開き透明袋状シート材により形成すると、該透明袋状シート材に伝票類、カード類等の小さい書類を的確に収納することができうえ第１透明ポケットシート部と第２透明ポケットシート部を透して収納した小さい書類も視認することができる。
【００２０】
また、前記四角形状のシート本体に形成した綴じ代部に綴り込み用孔を設けることにより、多数枚を該綴り込み用孔と合致したファイリング用バインダーに綴じて使用することができるものである。
【００２１】
また、前記のような請求項７に記載のファイリング用シートの複数枚を、２枚折りした透明シート材よりなる四角形状のシート本体の綴じ代部に設けた綴り込み用孔をもってファイリング用バインダのリング部等の綴込み部に綴じる。そして、綴じたファイリング用シートを見開いて、見開いた２頁大の書類をその中央を第１透明ポケットシート部の表面に沿わせて該書類の左右両側を前記見開きの左右のファイリング用シートの夫々の第２透明ポケットシート部に挿し込んで保持させれば、見開き状態において的確に保持されて、また、見開いた２頁を閉じれば２頁大の書類も中央から折り畳んだ状態で保持されるものである。
【００２２】
また、前記四角形状のシート本体の両面に、第１透明ポケットシート部と第２透明ポケットシート部が横向開口を向き合うように設けたものであるので、該シート本体の片面と同大の１頁の大きさの書類は、その左右を第１透明ポケットシート部と第２透明ポケットシート部に挿し込んで保持させることができ、該１頁の大きさの書類は左右両側を前記したとおり第１透明ポケットシート部と第２透明ポケットシート部に保持されているので、捲れたりしてが損傷する虞の無いものである。
【００２３】
さらに、前記四角形状のシート本体は、左右方向の中央折り目により２枚折りした透明シート材よりなるものとして、合せ目側にそれぞれ綴じ代部を設けたうえ該綴じ代部に綴り込み用孔を設けたものであるので、一方の綴じ代部の綴り込み用孔をファイリング用バインダのリング部等の綴込み部から外せば他方の綴じ代部を基点に１枚に広げることができるので表裏に印刷、書き込みがある２頁大の書類をこの１枚に広げた透明シート材の片面にある第１透明ポケットシート部と第２透明ポケットシート部により保持して表裏とも見ることが出来るものである。
【図面の簡単な説明】
【００２４】
【図１】第１の実施形態１を示す一部切欠斜視図。
【図２】第１の実施形態１を角度を変えて示す一部切欠斜視図。
【図３】第１の実施形態１の使用形態を示す一部切欠斜視図。
【図４】第１の実施形態１の他の使用形態を示す一部切欠斜視図。
【図５】第１の実施形態２を示す斜視図。
【図６】第１の実施形態３を示す斜視図。
【図７】第１の実施形態４を示す一部切欠斜視図。
【図８】第１の実施形態５を示す斜視図。
【図９】第２の実施形態１を示す斜視図。
【図１０】第２の実施形態１を展開して示す一部切欠斜視図。
【図１１】第２の実施形態２を示す斜視図。
【図１２】従来例を示す斜視図。
【発明を実施するための形態】
【００２５】
次に、本発明の好ましい実施の形態を図面に基づき説明する。
【００２６】
〔第１の実施形態〕
先ず、図１―図８に示す第１の実施形態を説明する。
１は四角形状のシート本体であり、該四角形状のシート本体１は図１−図４に示す第１の実施形態１は、上端縁を開口１０させた上開き透明袋状シート材１ａにより形成したものである。そして、前記四角形状のシート本体１の両面すなわち透明袋状シート材１ａの両表面には、夫々綴じ代部１１側に第１透明ポケットシート部２を小口１２側には第２透明ポケットシート部３を、該第１透明ポケットシート部２の横向開口２１と第２透明ポケットシート部３の横向開口３１が向き合うようにして設けている。
【００２７】
なお、透明袋状シート材１ａ及び第１透明ポケットシート部２、第２透明ポケットシート部３は透明なポリプロピレン、ポリエチレン等の合成樹脂シート製のものとしてある。そして、前記第１透明ポケットシート部２、第２透明ポケットシート部３は下縁と横向開口２１、３１の対向側縁を透明袋状シート材１ａの下縁と側縁に接合してあり、この接合手段は合成樹脂シート製であることから溶着したものであるが、接着剤等により接着により行ってもよい。
【００２８】
また、前記綴じ代部１１側の第１透明ポケットシート部２は左右幅を狭くして形成して、前記第２透明ポケットシート部３は左右幅を広くしている。すなわち、前記四角形状のシート本体１の幅の１／８を第１透明ポケットシート部２の幅とし、残りの７／８を第２透明ポケットシート部３の幅として、前記横向開口２１、３１同士が当接するように前記シート本体１の片面全体を覆う構成としている。なお、前記第１透明ポケットシート部２と第２透明ポケットシート部３は横向開口２１、３１を離して設けたものとしてもよい。また、前記シート本体１の綴じ代部１１に綴り込み用孔１１ａを設けている。
【００２９】
また、図１−図４に示す第１の実施形態１は前記第１透明ポケットシート部２と第２透明ポケットシート部３との上端に書類挿入用の上部開口２２、３２を形成している。
【００３０】
図５に示す第１の実施形態２は前記四角形状のシート本体１を、１枚のシート材１ｂにより形成したものであり、第１透明ポケットシート部２と第２透明ポケットシート部３及び綴じ代部１１の構成は前記図１―図４に示す第１の実施形態と同様である。なお、１枚のシート材１ｂは第１透明ポケットシート部２、第２透明ポケットシート部３と同様な合成樹脂シート製のものであることが、前記第１透明ポケットシート部２、第２透明ポケットシート部３を溶着でき好ましいが、接着等の手段で接合できる紙製であってもよものである。
【００３１】
また、図６に示す第１の実施形態３のように前記四角形状のシート本体１を、２枚のシート材１ｃ、１ｃよりなるものとして小口側のみを接合したものとしてもよい。
【００３２】
さらに、図７、図８に示す第１の実施形態４、５は、前記第１透明ポケットシート部２と第２透明ポケットシート部３とに向き合うように設けた横向開口２１、３１の端縁同士を点状に接合させたうえ上端縁に上部開口２２、３２を設けたものである。なお、横向開口２１、３１の端縁同士を点状に接合させる手段としては、前記第１透明ポケットシート部２と第２透明ポケットシート部３を左右一体に形成して横向開口２１、３１を形成する箇所に点線状の切込を入れて該点線状の切込間により残された否切込箇所を横向開口２１、３１の端縁同士の点状接合部とすればよいものである。
【００３３】
このように構成された第１の実施形態のファイリング用シートの複数枚を綴じ代部１１側において綴じれば、図３に示すように綴じ代部１１を中心に見開いた左右２頁に表れる各四角形状のシート本体１の片面に設けた第２透明ポケットシート部３は、見開きの左右側に横向開口３１、３１を向き合う状態で位置することとなるので、見開いた２頁大の書類（イ）をその中央を第１透明ポケットシート部２、２の表面に沿わせて該書類（イ）の左右両側を左右の第２透明ポケットシート部３、３に挿し込んで保持させれば、見開き状態において的確に保持されて、また、閉じれば２頁大の書類も中央から折り畳んだ状態で保持されるものである。
【００３４】
そして、前記四角形状のシート本体１の両面に、第１透明ポケットシート部２と第２透明ポケットシート部３が前記横向開口２１、３１が向き合うように設けたものであるので、該シート本体１の片面と同大の１頁の大きさの書類（ロ）は、その左右を第１透明ポケットシート部２と第２透明ポケットシート部３に挿し込んで保持させることができ、該１頁の大きさの書類（ロ）は左右両側を前記したとおり第１透明ポケットシート部２と第２透明ポケットシート部３に保持されているので複数枚を綴じたファイリング用シートを開閉動作させても収納した書類が捲れたり、折れ曲がったりして該書類が損傷する虞の無いものである。
【００３５】
また、前記第１透明ポケットシート部２と第２透明ポケットシート部３との上端縁に書類挿入用の上部開口２２、３２を形成した構造とすることにより、該上部開口２２、３２より書類を広げたままで出し入れできるものである。さらには、第１透明ポケットシート部２と第２透明ポケットシート部３は横向開口２１、３１と上部開口２２、３２と交わる角部から捲ることができるので書類の出し入れはより容易なものである。
【００３６】
なお、前記四角形状のシート本体１はＡ４版、Ｂ５版及びＡ５版の大きさとすることにより、Ａ４版のものはＡ４版及びＡ３版の大きさの書類、Ｂ５版のものはＢ５版及びＢ４版の大きさの書類及びＡ５版のものはＡ５版及びＡ４版の大きさの書類をそれぞれ見開いて見ることができるように収納できるものである。
【００３７】
そして、前記四角形状のシート本体１を図１−図４に示す第１の実施形態１のように、上縁を開口１０とした透明袋状シート材１ａにより形成すると、該透明袋状シート材１ａに小さな伝票類を的確に収納することができるものである。
【００３８】
さらに、図７、図８に示す第１の実施形態４、５のように、前記第１透明ポケットシート部２と第２透明ポケットシート部３とに向き合うように設けた横向開口２１、３１の端縁同士を点状に接合させたものとすると、シート本体１の片面と同大の１頁の大きさの書類は上部開口２２、２３より出し入れができる。そして、見開いた２頁大の書類を収納する場合には前記横向開口２１、３１の端縁同士の点状による接合を解けば、左右の２頁に現れる小口側の第２透明ポケットシート部３、３同士は横向開口３１、３１を向かい合う状態で位置することとなるので、見開いた２頁大の書類をその中央を第１透明ポケットシート部２，２の表面に沿わせて該書類の左右両側を見開きの左右の第２透明ポケットシート部３、３に挿し込んで保持することができる。また、前記第１透明ポケットシート部２と第２透明ポケットシート部３との横向開口２１、３１縁同士の点状による接合を解除した後に１頁の大きさの書類を収納するには、その左右を第１透明ポケットシート部２と第２透明ポケットシート部３に挿し込んで保持させればよいものである。
【００３９】
〔第２の実施形態〕
次に、図９−図１１に示す第２の実施形態を説明する。
この実施形態にあっては、四角形状のシート本体１を、左右方向の中央縦の折り目１３により２枚折りした透明シート材１ｄよりなるものとして、該２枚折りした透明シート材１ｄよりなる四角形状のシート本体１の外面となる両面に、合せ目１４、１４側の第１透明ポケットシート部２と折り目１３側の第２透明ポケットシート部３を横向開口２１、３１が向き合うように設けるとともに上端に書類挿入用の上部開口２２、３２を形成し、さらに、前記シート本体１の両面に設けた第２透明ポケットシート部３、３同士を前記折り目１３に沿う折曲部３ａにより連設した構造としている。
【００４０】
そして、前記合せ目１４、１４側にそれぞれ綴じ代部１１、１１を設けて、該綴じ代部１１、１１に綴り込み用孔１１ａを設けたものである。また、図１１に示す第２の実施形態２は、前記第１透明ポケットシート部２と第２透明ポケットシート部３とに向き合うように設けた横向開口２１、３１の端縁同士を点状に接合させたものである。
【００４１】
このように構成された第２の実施形態のファイリング用シートの複数枚を、２枚折りした透明シート材１ｄよりなる四角形状のシート本体１の前記合せ目１４、１４側に形成した綴じ代部１１、１１に設けた綴り込み用孔１１ａをもってファイリング用バインダのリング部等の綴込み部に綴じる。そうすれば、綴じた複数枚のファイリング用シートを見開いて、前記図３と同様に見開いた２頁大の書類（イ）をその中央を第１透明ポケットシート部２の表面に沿わせて該書類（イ）の左右両側を前記見開きの左右のファイリング用シートの夫々の第２透明ポケットシート部３、３に挿し込んで保持させれば、見開き状態において的確に保持して第２透明ポケットシート部３、３されて、また、見開いた２頁を閉じれば２頁大の書類も中央から折り畳んだ状態で保持されるものである。
【００４２】
また、前記四角形状のシート本体１の両面に、第１透明ポケットシート部２と第２透明ポケットシート部３を横向開口２１、３１が向かい合うように設けたものであるので、該シート本体１の片面と同大の１頁の大きさの書類は、その左右を第１透明ポケットシート部２と第２透明ポケットシート部３に挿し込んで保持させることができ、該１頁の大きさの書類は左右両側を捲れたりして傷む虞の無いものである。
【００４３】
さらに、前記四角形状のシート本体は、左右の中央の折り目１３により２枚折りした透明シート材１ｄよりなるものとして、合せ目１４、１４側にそれぞれ綴じ代部１１、１１を設けたうえ該綴じ代部１１、１１に綴り込み用孔１１を設けたものであるので、一方の綴じ代部１１の綴り込み用孔１１ａをファイリング用バインダのリング部等の綴込み部から綴じ込んだ状態の他方の綴じ代部１１を基点に一枚に広げることができるので表裏に書き込みがある２頁大の書類をこの一枚に広げた四角形状のシート本体１の片面と第１透明ポケットシート部２、第２透明ポケットシート部３との間に保持されて表裏とも見ることが出来るものである。
【００４４】
また、図１１に示す第２の実施形態２に示すように、前記第１透明ポケットシート部と第２透明ポケットシート部とに向き合うように設けた開口２１、３１の端縁同士を点状に接合させた構成としたものは、シート本体１の片面と同大の１頁の大きさの書類は上部開口２２、２３より出し入れができる。
【００４５】
そして、見開いた２頁大の書類を収納する場合には前記開口２１、３１の端縁同士の点状による接合を解けば、左右の２頁に現れる小口側の第２透明ポケットシート部３、３同士は横向開口３１、３１を対向させた状態で位置することとなるので、見開いた２頁大の書類をその中央を第１透明ポケットシート部２，２の表面に沿わせて該書類の左右両側を見開きの左右の第２透明ポケットシート３、３に保持することができるものである。
【００４６】
また、前記第１透明ポケットシート部２と第２透明ポケットシート部３との開口２１、３１縁同士の点状による接合を解除した後に１頁の大きさの書類を収納するには、その左右を第１透明ポケットシート部２と第２透明ポケットシート部３に挿し込んで保持すればよいものである。
【符号の説明】
【００４７】
１   四角形状のシート本体
1a   透明袋状シート材
1b   １枚のシート材
1c   ２枚のシート材
1d   ２枚折りした透明シート材
10   開口
11   綴じ代部
11a  綴り込み用孔
12   小口
13   折り目
14   合せ目
２   第１透明ポケットシート部
21   横向開口
22   上部開口
３   第２透明ポケットシート部
31   横向開口
32   上部開口
【図１】
2011116048.tif 000003
【図２】
2011116048.tif 000004
【図３】
2011116048.tif 000005
【図４】
2011116048.tif 000006
【図５】
2011116048.tif 000007
【図６】
2011116048.tif 000008
【図７】
2011116048.tif 000009
【図８】
2011116048.tif 000010
【図９】
2011116048.tif 000011
【図１０】
2011116048.tif 000012
【図１１】
2011116048.tif 000013
【図１２】
2011116048.tif 000014